(57)【要約】【課題】無線通信パラメータの設定を容易にしつつ、コストの増加を抑制することが可能な無線アクセスポイントを提供する。【解決手段】光源（２１〜２５）は、状態を通知する。格納部（１４）は、無線端末（２）が無線アクセスポイント（１）と接続するためのパラメータを格納する。管理部（１５、１６）は、特定の状態において、光源（２１〜２５）の点灯状態をパラメータに応じて変化させる。【選択図】図３
2014220633.tif 000002
【特許請求の範囲】
【請求項１】
無線端末と接続可能な無線アクセスポイントであって、
状態を通知するための光源と、
前記無線端末が当該無線アクセスポイントと接続するためのパラメータを格納する格納部と、
特定の状態において、前記光源の点灯状態を前記パラメータに応じて変化させる管理部と、を有する無線アクセスポイント。
【請求項２】
スイッチと、
前記スイッチに対する操作を検出する検出部と、をさらに有し、
前記管理部は、前記検出部が前記操作として所定操作を検出した場合、前記特定の状態に遷移する、請求項１に記載の無線アクセスポイント。
【請求項３】
前記管理部は、
前記特定の状態で、前記パラメータを予め定められた符号化方式で符号化した符号化データを生成する変換部と、
前記符号化データに応じて前記光源の点灯状態を変化させる光源制御部と、を有する、請求項１または２に記載の無線アクセスポイント。
【請求項４】
請求項１ないし３のいずれか１項に記載の無線アクセスポイントと接続可能な無線端末であって、
前記光源を撮影して撮影画像を生成する撮影部と、
前記撮影画像に基づいて、前記光源の点灯状態を前記パラメータに復号化し、当該パラメータを設定する制御部と、を有する無線端末。
【請求項５】
請求項１ないし３のいずれか１項に記載の無線アクセスポイントと、請求項４に記載の無線端末とを有する無線システム。
【請求項６】
状態を通知するための光源を有し、無線端末と接続可能な無線アクセスポイントによる通知方法であって、
前記無線端末が当該無線アクセスポイントと接続するためのパラメータを格納し、
特定の状態において、前記光源の点灯状態を前記パラメータに応じて変化させる、通知方法。
【請求項７】
請求項１ないし３のいずれか１項に記載の無線アクセスポイントと接続可能な無線端末による設定方法であって、
前記光源を撮影して撮影画像を生成し、
前記撮影画像に基づいて、前記光源の点灯状態を前記パラメータに復号化し、当該パラメータを設定する、設定方法。
【請求項８】
状態を通知するための光源を有し、無線端末と接続可能な無線アクセスポイントに、
前記無線端末が当該無線アクセスポイントと接続するためのパラメータを格納する手順と、
特定の状態において、前記光源の点灯状態を前記パラメータに応じて変化させる手順と、を実行させるためのプログラム。
【請求項９】
請求項１ないし３のいずれか１項に記載の無線アクセスポイントと接続可能な無線端末に、
前記光源を撮影して撮影画像を生成する手順と、
前記撮影画像に基づいて、前記光源の点灯状態を前記パラメータに復号化し、当該パラメータを設定する手順と、を実行させるためのプログラム。
【発明の詳細な説明】
【技術分野】
【０００１】
本発明は、無線アクセスポイントに接続するためのパラメータを設定する技術に関する。
【背景技術】
【０００２】
近年、携帯ゲーム機、タブレット端末およびスマートフォンのような無線通信機能を内蔵したポータブル端末が普及している。これらのポータブル端末では、無線通信機能は、家庭内または外出先でネットワークに容易にアクセスすることを目的として内蔵されている。
【０００３】
上記のポータブル端末では、無線通信機能を使用するためには、一般的な無線端末と同様に、無線アクセスポイントの識別情報や暗号化鍵のような無線アクセスポイントに接続するための無線通信パラメータを設定する必要がある。
【０００４】
無線通信パラメータの設定は通常手動で行われているが、設定項目の用語や設定すべき情報などを熟知していないユーザにとっては、無線通信パラメータを手動で設定することは容易ではない。また、無線通信パラメータの設定が手動で行われると、入力ミスなどが発生することもある。
【０００５】
なお、無線アクセスポイントなどに貼られた２次元コードなどを無線端末で撮影すると、その撮影データに基づいて無線端末が自動的に無線通信パラメータを設定する技術が開発されているが、この技術では、２次元コードに汚れや剥離などが生じると、２次元コードを正確に判別することができなくなることがあるため、確実性に関して課題が残る。
【０００６】
これに対して特許文献１には、赤外線発光部を制御することで、無線通信のための設定情報を赤外線の点滅によって通知する第１の通信装置と、赤外線の点滅を検出し、その検出結果に基づいて設定情報を設定する第２の通信装置とを備えた通信システムが開示されている。
【先行技術文献】
【特許文献】
【０００７】
【特許文献１】特開２００７−１１０２７４号公報
【発明の概要】
【発明が解決しようとする課題】
【０００８】
しかしながら、特許文献１に記載の通信システムでは、設定情報を赤外線の点滅によって通知するため、設定情報を通知するための赤外ＬＥＤのような専用の赤外線発光部が必要となる。このため、コストが増加してしまうという問題がある。
【０００９】
本発明の目的は、無線通信パラメータの設定を容易にしつつ、コストの増加を抑制することが可能な無線アクセスポイント、無線端末、無線システム、接続方法およびプログラムを提供することである。
【課題を解決するための手段】
【００１０】
本発明による無線アクセスポイントは、無線端末と接続可能な無線アクセスポイントであって、状態を通知するための光源と、前記無線端末が前記無線アクセスポイントと接続するためのパラメータを格納する格納部と、特定の状態において、前記光源の点灯状態を前記パラメータに応じて変化させる管理部と、を有する。
【００１１】
本発明による無線端末は、前記無線アクセスポイントと接続可能な無線端末であって、前記光源を撮影して撮影画像を生成する撮影部と、前記撮影画像に基づいて、前記光源の点灯状態を前記パラメータに復号化し、当該パラメータを設定する制御部と、を有する。
【００１２】
本発明による無線システムは、前記無線アクセスポイントと、前記無線端末とを有する。
【００１３】
本発明による通知方法は、状態を通知するための光源を有し、無線端末と接続可能な無線アクセスポイントによる通知方法であって、前記無線端末が前記無線アクセスポイントと接続するためのパラメータを格納し、特定の状態において、前記光源の点灯状態を前記パラメータに応じて変化させる。
【００１４】
本発明による設定方法は、前記無線アクセスポイントと接続可能な無線端末による設定方法であって、前記光源を撮影して撮影画像を生成し、前記撮影画像に基づいて、前記光源の点灯状態を前記パラメータに復号化し、当該パラメータを設定する。
【００１５】
本発明による第１のプログラムは、状態を通知するための光源を有し、無線端末と接続可能な無線アクセスポイントに、前記無線端末が前記無線アクセスポイントと接続するためのパラメータを格納する手順と、特定の状態において、前記光源の点灯状態を前記パラメータに応じて変化させる手順と、を実行させる。
【００１６】
本発明による第２のプログラムは、前記無線アクセスポイントと接続可能な無線端末に、前記光源を撮影して撮影画像を生成する手順と、前記撮影画像に基づいて、前記光源の点灯状態を前記パラメータに復号化し、当該パラメータを設定する手順と、を実行させる。
【発明の効果】
【００１７】
本発明によれば、無線通信パラメータの設定を容易にしつつ、コストの増加を抑制することが可能になる。
【図面の簡単な説明】
【００１８】
【図１】本発明の一実施形態の無線システムの構成を示す図である。
【図２】無線アクセスポイントの外観の一例を示す外観図である。
【図３】無線アクセスポイントの機能的な構成の一例を示す図である。
【図４】無線通信パラメータの符号化方法の一例を説明するための図である。
【図５】無線端末の外観の一例を示す外観図である。
【図６】無線端末の機能的な構成の一例を示す図である。
【図７】無線アクセスポイントの動作の一例を説明するためのフローチャートである。
【図８】無線端末の動作の一例を説明するためのフローチャートである。
【発明を実施するための形態】
【００１９】
以下、本発明の実施形態について図面を参照して説明する。なお、以下の説明では、同じ機能を有するものには同じ符号を付け、その説明を省略する場合がある。
【００２０】
図１は、本発明の一実施形態の無線システムの構成を示す図である。図１に示す無線システムは、無線通信を行うためのアクセスポイントである無線アクセスポイント１と、無線アクセスポイントと無線通信にて接続可能な無線端末２とを有する。
【００２１】
図２は、無線アクセスポイント１の外観の一例を示す外観図である。図２に示すように無線アクセスポイント１は、スイッチ１１と、ＬＥＤ２１〜２５とを有する。
【００２２】
スイッチ１１は、無線アクセスポイント１に対して所定の動作の実行を指示する指示操作が行われる操作部である。所定の動作には、無線端末２が無線アクセスポイントと無線通信を用いて接続するためのパラメータである無線通信パラメータを無線端末２に通知する無線設定情報通知動作が含まれ、指示操作には、無線設定情報通知動作の実行を指示する所定操作が含まれるものとする。
【００２３】
所定操作は、予め定められており、例えば、スイッチ１１を所定の時間以上押下する操作や、無線アクセスポイント１に電源が投入されたときにスイッチ１１が押下している操作などである。
【００２４】
ＬＥＤ２１〜２５は、無線アクセスポイント１の状態をユーザに通知するための光源である。無線アクセスポイント１の状態は、例えば、正常に動作している正常状態、正常な動作ができないエラー状態などである。なお、ＬＥＤ２１〜２５から出射される光は、ユーザが状態を把握するために使用されるので、可視光であるものとする。
【００２５】
図３は、無線アクセスポイント１の機能的な構成の一例を示す図である。図３に示すように無線アクセスポイント１は、スイッチ１１と、スイッチ検出部１２と、無線制御部１３と、無線パラメータ格納部１４と、パラメータ変換部１５と、ＬＥＤ制御部１６と、ＬＥＤ２１〜２５とを有する。
【００２６】
スイッチ検出部１２は、スイッチ１１に対する指示操作を検出する。
【００２７】
無線制御部１３は、無線端末２との無線通信およびその制御を行う。
【００２８】
無線パラメータ格納部１４は、上記の無線通信パラメータを格納する格納部である。無線通信パラメータとしては、例えば、ＳＳＩＤ（Service Set Identifier）のような無線アクセスポイントを特定する識別情報、ＷＥＰ（Wired Equivalent Privacy）キー、ＷＰＡ（Wi-Fi Protected Access）キーまたはＡＥＳ（Advanced Encryption Standard）キーのような暗号化キーなどが挙げられる。なお、無線通信パラメータは、無線アクセスポイント１ごとに固有の値を有する。本実施形態では、無線パラメータ格納部１４は、無線通信パラメータとして、ＳＳＩＤおよび暗号化キーを格納しているものとする。
【００２９】
パラメータ変換部１５およびＬＥＤ制御部１６は、特定の状態において、ＬＥＤ２１〜２５の点灯状態を、無線パラメータ格納部１４に格納された無線通信パラメータに応じて変化させる管理部を構成する。
【００３０】
具体的には、スイッチ検出部１２がスイッチ１１に対する所定操作を検出した場合、パラメータ変換部１５は、特定の状態に遷移し、無線パラメータ格納部１４に格納された無線通信パラメータを予め定められた符号化方式で符号化した符号化データを生成する。
【００３１】
ＬＥＤ制御部１６は、光源制御部の一例である。ＬＥＤ制御部１６は、パラメータ変換部１５にて生成された符号化データに応じてＬＥＤ２１〜２５の点灯状態を変化させることで、無線通信パラメータを通知する。
【００３２】
次に無線通信パラメータの符号化方法の一例を説明する。
【００３３】
本実施形態では、無線アクセスポイント１の状態を表示するための光源として５つのＬＥＤ２１〜２５が備わっているため、パラメータ変換部１５は、無線通信パラメータをＬＥＤ２１〜２５のそれぞれの点灯パターンに符号化する。
【００３４】
具体的には、ＬＥＤ２５が点灯している状態を、無線通信パラメータの通知が行われていることを示す有効状態に対応させるものとし、パラメータ変換部１５は、無線通信パラメータを通知する際には、ＬＥＤ２５を常に点灯させるように符号化データを生成する。
【００３５】
また、無線通信パラメータであるＳＳＩＤや暗号化キーは、一般的に英数字で表記されるため、ＡＳＣＩＩ(American Standard Code for Information Interchange)コードを用いて伝達させることができる。なお、ＡＳＣＩＩコードでは、１キャラクタの表現に８bitのデータが必要である。
【００３６】
このため、パラメータ変換部１５は、ＬＥＤ２１〜２４のそれぞれの点灯状態が予め定められた周期Ｔで変化し、かつ、１周期分のＬＥＤ２１〜２４のそれぞれの点灯状態で４ビットを表現することで、２周期分のＬＥＤ２１〜２４のそれぞれの点灯状態で無線通信パラメータの１キャラクタ（８ビット）が伝達されるように、符号化データを生成する。
【００３７】
図４は、上記の符号化方式で無線通信パラメータを符号化した際のＬＥＤ２１〜２５のそれぞれの点灯状態と、それらの点灯状態で伝送されるデータとの一例を示す図である。
【００３８】
図４の例では、「点灯」がＬＥＤ２１〜２５が点灯している状態を示し、「―」がＬＥＤ２１〜２５が消灯している状態を示す。また、「ｃｏｄｅ」は、通知するデータを示し、「Ｈｅｘ」はデータの１６進数（Hexadecimal Numbre）表記を示す。さらに、ＳＳＩＤの通知の開始を示すデータであるＳＳＩＤ開始シーケンスをｆｆ、暗号化キーの通知の開始を示すデータである暗号化キー開始シーケンスをｆｃとしている。また、ＳＳＩＤが「Ａｂ−１」を示し、暗号化キーが「ＯＫ」を示している。
【００３９】
図４の例では、パラメータ変換部１５は、は、無線通信パラメータの各キャラクタを、２周期分のＬＥＤ２１〜２４の点灯状態を示すデータに変換することで、時刻０から時刻１５Ｔまでの１６周期分のＬＥＤ２１〜２５の点灯状態を示す符号化データを生成する。
【００４０】
この場合、時刻０以前（例えば、時刻（−Ｔ））では、ＬＥＤ２５が消灯しているため、データは伝達されない。そして、時刻０〜２Ｔまでの間にＳＳＩＤ開始シーケンスが伝達され、その後、２周期分の時間で１キャラクタずつ伝送される。例えば、ＳＳＩＤの最初の文字「Ａ」は、時刻２Ｔから３Ｔまでの点灯状態と、時刻３Ｔから時刻４Ｔまでの点灯状態とで示されている。そして、時刻１６ＴでＬＥＤ２５が消灯され、無線通信パラメータの通知が終了される。
【００４１】
なお、上記の符号化方法は単なる一例であって、符号化方法は上記の例に限らず、適宜変更可能である。
【００４２】
図５は、無線端末２の外観の一例を示す外観図である。図５に示すように無線端末２は、表示部３１を有する。表示部３１は、接触または近接を検出するタッチパネルと一体化されているものとしている。
【００４３】
図６は、無線端末２の機能的な構成の一例を示す図である。図６に示すように無線端末２は、表示部３１と、カメラ３２と、格納部３３と、制御部３４とを有する。
【００４４】
カメラ３２は、撮影を行って撮影画像を生成する撮影部であり、例えば、表示部３１の反対側の面に備わっている。なお、本実施形態では、カメラ３２は、無線アクセスポイント１のＬＥＤ２１〜２５を撮影するために使用される。
【００４５】
格納部３３は、制御部３４の動作を規定するプログラムを格納する。プログラムは、無線通信パラメータを設定するためのアプリケーションプログラムを含む。
【００４６】
制御部３４は、格納部３３に格納されたプログラムを読み取り、その読み取ったプログラムを実行して、無線端末２全体を制御する。
【００４７】
例えば、制御部３４は、カメラ３２が生成した撮影画像に基づいて、ＬＥＤ２１〜２５の点灯状態を無線通信パラメータに復号化し、その復号化した無線通信パラメータを、無線アクセスポイント１と接続するための無線情報として設定する。
【００４８】
次に動作を説明する。
【００４９】
図７は、無線アクセスポイント１の動作の一例を説明するためのフローチャートである。
【００５０】
先ず、スイッチ１１に対して所定操作が行われると、スイッチ検出部１２は、スイッチ１１に対する所定操作を検出し、所定操作を検出した旨の検出結果をパラメータ変換部１５に出力する（ステップＳ７０１）。
【００５１】
パラメータ変換部１５は、所定操作を検出した旨の検出結果を受け付けると、無線パラメータ格納部１４から無線通信パラメータを取得し、その無線通信パラメータを符号化した符号化データを生成する。そして、パラメータ変換部１５は、生成した符号化データをＬＥＤ制御部１６に出力する（ステップＳ７０２）。
【００５２】
ＬＥＤ制御部１６は、符号化データを受け付けると、その符号化データに応じてＬＥＤ２１〜２５の点灯状態を変化させることで、無線通信パラメータを無線端末２に通知する（ステップＳ７０３）。
【００５３】
図８は、無線端末２の動作の一例を説明するためのフローチャートである。
【００５４】
制御部３４は、無線通信パラメータを設定するためのアプリケーションプログラムを格納部３３から読み込み、その読み込んだアプリケーションプログラムを実行して、以下の動作を行う。
【００５５】
先ず、制御部３４は、カメラ３２を起動し（ステップＳ８０１）、無線アクセスポイント１に対する所定操作の実行をユーザに促す（ステップＳ８０２）。例えば、制御部３４は、「カメラを無線アクセスポイントに向けて保持し、スイッチをＸ秒間押下する」旨のメッセージを表示部３１に表示する。
【００５６】
そして、制御部３４は、カメラ３２に撮影を開始させ、カメラ３２から撮影画像を受け付ける（ステップＳ８０３）。このとき、カメラ３２は、動画像を撮影画像として生成してもよいし、周期的に（例えば、周期Ｔごとに）静止画像を撮影画像として生成してもよい。
【００５７】
制御部３４は、カメラ３２からの撮影画像を解析して、無線アクセスポイント１のＬＥＤ２１〜２５がＳＳＩＤ開始シーケンスに応じた点灯状態か否かを判断して、無線アクセスポイント１から無線通信パラメータの通知が開始されたか否かを判断する（ステップＳ８０４）。
【００５８】
無線通信パラメータの通知が開始されていない場合、制御部３４は、ステップＳ８０４の処理に戻る。また、無線通信パラメータの通知が開始された場合、制御部３４は、周期Ｔごとに、撮影画像を解析して、ＬＥＤ２１〜２５の点灯状態を検出する（ステップＳ８０５）。
【００５９】
そして、制御部３４は、点灯状態の検出結果に基づいて、無線アクセスポイント１のＬＥＤ２１〜２５が暗号化キー開始シーケンスに応じた点灯状態か否かを判断して、暗号化キーの通知が開始されたか否かを判断する（ステップＳ８０６）。
【００６０】
暗号化キーの通知が開始されていない場合、制御部３４は、ステップＳ８０５の処理に戻る。また、暗号化キーの通知が開始された場合、制御部３４は、周期Ｔごとに、撮影画像を解析して、ＬＥＤ２１〜２５の点灯状態を検出する（ステップＳ８０７）。
【００６１】
そして、制御部３４は、点灯状態の検出結果に基づいて、ＬＥＤ２５が点灯しているか否かを判断して、無線通信パラメータの通知が終了したか否かを判断する（ステップＳ８０８）。
【００６２】
無線通信パラメータの通知が終了していない場合、制御部３４は、ステップＳ８０７の処理に戻る。また、無線通信パラメータの通知が終了した場合、制御部３４は、ステップＳ８０５で取得した点灯状態の検出結果に基づいてＳＳＩＤを復号化し、ステップＳ８０７で取得した点灯状態の検出結果に基づいて暗号化キーを復号化する（ステップＳ８０９）。
【００６３】
そして、制御部３４は、ＳＳＩＤおよび暗号化キーを無線アクセスポイント１と接続するための無線情報として無線端末２に設定して（ステップＳ８１０）、「無線通信パラメータの設定が完了した」旨のメッセージを表示部３１に表示する（ステップＳ８１１）。
【００６４】
以上説明した本実施形態によれば、状態を通知するためのＬＥＤ２１〜２５の点灯状態を無線通信パラメータに応じて変化させることで、無線通信パラメータを通知しているため、赤外線ＬＥＤのような無線通信パラメータを通知するための専用の光源などを用いずに、無線通信パラメータを通知することが可能になる。したがって、無線通信パラメータの設定を容易にしつつ、コストの増加を抑制することが可能になる。なお、ＬＥＤ２１〜２５のように安価な光源を用いることが可能になるので、液晶表示デバイスのような高価な表示デバイスも必要ない。
【００６５】
以上説明した実施形態において、図示した構成は単なる一例であって、本発明はその構成に限定されるものではない。
【００６６】
例えば、光源は、ＬＥＤでなくてもよく、また、光源の数は５個でなくてもよい。
【符号の説明】
【００６７】
１１    スイッチ
１２    スイッチ検出部
１３    無線制御部
１４    無線パラメータ格納部
１５    パラメータ変換部
１６    ＬＥＤ制御部
２１〜２５    ＬＥＤ
３１    表示部
３２    カメラ
３３    格納部
３４    制御部
【図１】
2014220633.tif 000003
【図２】
2014220633.tif 000004
【図３】
2014220633.tif 000005
【図４】
2014220633.tif 000006
【図５】
2014220633.tif 000007
【図６】
2014220633.tif 000008
【図７】
2014220633.tif 000009
【図８】
2014220633.tif 000010